(57)【要約】【課題】            筆毛を使用した液状化粧料用の塗布具において、筆毛の折れ毛の発生を防止する。【解決手段】        液状化粧料１０を収容した容器本体１１と、該容器本体１１の口部１２に嵌合して容器本体１１内を密閉するキャップ１と、該キャップ１の嵌合穴２天井面より垂下し容器本体１１内に挿入される塗布棒４と、該塗布棒４の先端に筆毛７が固定された塗布部６と、前記容器本体１１内に塗布棒４に貫通された状態で止着され塗布棒４及び塗布部６通過時に塗布棒４に付着した液状化粧料１０を払拭するワイパー１４とより成る構成において、前記容器本体１１の口部８の開口部縁部２０を面取りして広げる。この開口縁部２０の面取り角度Ａは、４５°以下にする。【選択図】          図１
2006043140.tif 000002
【特許請求の範囲】
【請求項１】
液状化粧料１０を収容した容器本体１１と、該容器本体１１の口部１２に嵌合して容器本体１１内を密閉するキャップ１と、該キャップ１天井面より垂下し容器本体１１内に挿入される塗布棒４と、該塗布棒４の先端に筆毛７を植設して構成した塗布部６と、前記容器本体１１内に塗布棒４に貫通された状態で止着され塗布棒４及び塗布部６通過時に塗布棒４に付着した液状化粧料１０を払拭するワイパー１４とより成る構成において、
前記容器本体１１の口部１２の開口縁部２０を面取りして広げたことを特徴とする液状化粧料容器。
【請求項２】
前記容器本体１１の口部１２の開口縁部２０の面取り角度Ａが、４５°以下であることを特徴とする請求項３記載の液状化粧料容器。
【請求項３】
液状化粧料１０を収容した容器本体１１と、該容器本体１１の口部１２に嵌合して容器本体１１内を密閉するキャップ１と、該キャップ１天井面より垂下し容器本体１１内に挿入される塗布棒４と、該塗布棒４の先端に筆毛７を植設して構成した塗布部６と、前記容器本体１１内に塗布棒４に貫通された状態で止着され塗布棒４及び塗布部６通過時に塗布棒４に付着した液状化粧料１０を払拭するワイパー１４とより成る構成において、
前記ワイパー１４の払拭部１５の下向き角度Ｂを４５°以上にしたことを特徴とする液状化粧料容器。
【請求項４】
液状化粧料１０を収容した容器本体１１と、該容器本体１１の口部１２に嵌合して容器本体１１内を密閉するキャップ１と、該キャップ１天井面より垂下し容器本体１１内に挿入される塗布棒４と、該塗布棒４の先端に筆毛７を植設して構成した塗布部６と、前記容器本体１１内に塗布棒４に貫通された状態で止着され塗布棒４及び塗布部６通過時に塗布棒４に付着した液状化粧料１０を払拭するワイパー１４とより成る構成において、
前記容器本体１１のワイパー１４を含む口部１２内壁を段差がなく構成したことを特徴とする液状化粧料容器。
【発明の詳細な説明】
【技術分野】
【０００１】
本発明は、口紅、リップグロス、アイライナー、マニュキュアなどの液状化粧料容器に関するものであり、液状化粧料が収容された容器内に塗布棒を払拭するワイパーが内装され、塗布棒の先端に筆毛が固定された塗布部よりなる液状化粧料用の塗布具に関するものである。
【背景技術】
【０００２】
上記のような液状化粧料容器は、図４に示したように、液状化粧料１０を収容した容器本体１１と、該容器本体１１の口部１２に嵌合して容器本体１１内を密閉するキャップ１と、該キャップ１の嵌合穴２天井面より垂下し容器本体１１内に挿入される塗布棒４と、該塗布棒４の先端に筆毛７が固定された塗布部６と、前記容器本体１１口部１２内に塗布棒４に貫通された状態で止着され、塗布棒４通過時に塗布棒４に付着した液状化粧料１０を払拭するワイパー１４とより成っている。
【０００３】
しかし、ワイパー１４の払拭部１５の払拭穴１６の穴径は、塗布棒４及び塗布部６の外径よりも小径になっているため、図３に示すように、塗布棒４を容器本体１１内に挿入して塗布部６がワイパー１４の払拭部１５を通過する際、塗布部６の外周の筆毛７が、反対側に巻き込まれ、毛が折れてしまった。この折れ毛は、元に戻ることはなかった。したがって、塗布部６に折れ毛が発生すると、輪郭が上手に描けなかったり、周囲を汚してしまったり、塗布具の抜き差しに注意が必要になったりする致命的な問題が発生した。
【０００４】
そこで、特許文献１により筆毛を保持した口金の先端開口部が半径方向内側に向けて肉厚に成形して、口金の先端開口部内径をワイパーの払拭部の内径よりも小さくした液状化粧料容器が提案されている。
【０００５】
【特許文献１】特開２００３−１６９７１３号公報
【発明の開示】
【発明が解決しようとする課題】
【０００６】
この構成の場合、塗布部の筆毛の外径がワイパーの払拭部の内径よりも小さくなっているため、塗布棒を正確にワイパーの払拭部に挿入していけば、塗布部の筆毛はワイパーの払拭部に触れることなく通過でき、折れ毛が発生することもないのであるが、それは不可能に近かった。塗布部の挿入時に筆毛がワイパーの内壁に触れて筆毛を巻き込んでしまうほうが多く、折れ毛の根本的な問題の解決にはなっていなかった。
【課題を解決するための手段】
【０００７】
液状化粧料１０を収容した容器本体１１と、該容器本体１１の口部１２に嵌合して容器本体１１内を密閉するキャップ１と、該キャップ１天井面より垂下し容器本体１１内に挿入される塗布棒４と、該塗布棒４の先端に筆毛７が固定された塗布部６と、前記容器本体１１内に塗布棒４に貫通された状態で止着され塗布棒４及び塗布部６通過時に塗布棒４に付着した液状化粧料１０を払拭するワイパー１４とより成る構成において、前記容器本体１１の口部８の開口部縁部２０を面取りして広げる。この容器本体１１の口部８の開口縁部２０の面取り角度Ａは、４５°以下にする。
【０００８】
液状化粧料１０を収容した容器本体１１と、該容器本体１１の口部１２に嵌合して容器本体１１内を密閉するキャップ１と、該キャップ１天井面より垂下し容器本体１１内に挿入される塗布棒４と、該塗布棒４の先端に筆毛７が固定された塗布部６と、前記容器本体１１内に塗布棒４に貫通された状態で止着され塗布棒４及び塗布部６通過時に塗布棒４に付着した液状化粧料１０を払拭するワイパー１４とより成る構成において、前記ワイパー１４の払拭部１５の下向き角度Ｂを４５°以上にする。
【０００９】
液状化粧料１０を収容した容器本体１１と、該容器本体１１の口部１２に嵌合して容器本体１１内を密閉するキャップ１と、該キャップ１天井面より垂下し容器本体１１内に挿入される塗布棒４と、該塗布棒４の先端に筆毛７が固定された塗布部６と、前記容器本体１１内に塗布棒４に貫通された状態で止着され塗布棒４及び塗布部６通過時に塗布棒４に付着した液状化粧料１０を払拭するワイパー１４とより成る構成において、前記容器本体１１のワイパー１４を含む口部１２内壁を段差がなく構成する。
【発明の効果】
【００１０】
容器本体１１の口部１２の開口縁部２０を面取りした構成は、開口縁部２０を面取りしたことにより、口部１２の開口間口が広がる。さらにその面取り角度は４５°以下のゆるい角度にすれば、塗布部６を口部１２に挿入しやすくなり、筆毛７が引っかかりにくくなる。したがって、口部１２の開口縁部２０での筆毛７の反対側への巻き込みを防げる。
【００１１】
また、ワイパー１４の払拭部１５を４５°以上の角度で下向きに設けた構成は、ワイパー１４内壁と払拭部１５の接合部分の段差がゆるくなり、筆毛７が引っかかりにくくなっている。したがって、ワイパー１４内部での筆毛７の反対側への巻き込みを防げる。
【００１２】
また、ワイパー１４を含めた口部１２内壁の段差をなくした構成は、口部１２に塗布部６を挿入した際、筆毛７が口部１２内壁に引っかかりにくくなっている。したがって、口部１２の内壁での筆毛７の反対側への巻き込みを防げる。
【００１３】
以上説明したように、本発明の液状化粧料容器は、口部１２の開口縁部２０を面取りした構成、ワイパー１４の払拭部１５を４５°以上の角度で下向きに設けた構成、及びワイパー１４を含めた口部１２内壁の段差をなくした構成により、容器本体１１の口部１２に塗布部６を挿入する際、筆毛７が反対側に巻き込まれるのを防いでいる。したがって、本発明の液状化粧料容器は、筆毛７の折れ毛問題の根本を解消しているため、繰り返し使用しても、半永久的に折れ毛が発生することなく使用できるようになっている。
【発明を実施するための最良の形態】
【００１４】
本発明が実施できる液状化粧料容器の形態について説明する。（図４参照。）キャップ１は、下面より嵌合穴２が穿設されている。この嵌合穴２の内側面には、雌ネジ３が螺設されている。また嵌合穴２の天井面には、中央に塗布棒４が垂下しており、その塗布棒４の周囲には、パッキン５が貼着されている。この塗布棒４の先端には、塗布部６が設けられている。
【００１５】
この塗布部６は、筆毛７を筆状に束ね、この端部をアルミニウムパイプなどの金属筒状の口金８内に挿入、接着剤などにより止着して構成されている。そして、この口金８の後端部は、前記塗布棒４の先端に止着されている。
【００１６】
口紅、リップグロス、アイライナー、マニュキュアなどの液状化粧料１０を収容した容器本体１１は、上端にキャップ１が嵌合する口部１２を設けている。この口部１２の外周壁には、前記キャップ１の雌ネジ３が螺合する雄ネジ１３が螺設されている。そして、容器本体１１にキャップ１を嵌合させたとき、容器本体１１の口部１２上端がキャップ１内のパッキン５に当接して容器本体１１内を密閉するようになっている。
【００１７】
また、容器本体１１の口部１２内には、ゴムなどの弾性材より成形されたワイパー１４が内装止着されている。このワイパー１４には、弁状の払拭部１５が設けられている。この払拭部１５には、キャップ１の塗布棒４が貫通する払拭穴１６が設けられている。この払拭穴１６の内径は、前記塗布棒４の外径よりも若干小径になっており、この払拭部１５を塗布棒４及び塗布部６が通過する際、塗布棒４に付着した液状化粧料１０を払拭するようになっている。
【００１８】
なお、口金８の横断面形状は、円形状ばかりでなく、扁平な楕円形状、トラック形状や、丸形状以外の非円形状においても実施可能であることは言うまでもない。また、図５に示したように、容器本体１１の口部１２上端にパッキン５を止着して、この部分をキャップ１の嵌合穴２天井面に当接させて容器本体１１内を密閉させてもよい。この場合、前記ワイパー１４の上端を容器本体１１の口部１２上端を覆うまで延設して、パッキン５とワイパー１４を一体に構成してもよい。
【実施例】
【００１９】
上記構成において、容器本体１１の口部１２の上端開口縁部２０を、大きく面取りし、内径をラッパ状に広げる。なお、液状化粧料容器の、パッキン５がキャップ１内面に配設された構成の場合には、直接容器本体１１の口部１２の開口縁部２０を面取りする。また、パッキン５が容器本体１１に配設された構成の場合には、パッキン５の開口縁部２０を面取りする必要がある。なお、この面取り角度は、４５°以下にして筆毛７が引っかからないようにする。（図１）
【００２０】
上記構成において、容器本体１１の口部１２内に止着されたワイパー１４の弁状の払拭部１５は、中央が下方向に向いて設けられているが、この下方に向いた角度を４５°以上にする。（図２）
【００２１】
上記構成において、前記容器本体１１のワイパー５を含む口部１２内壁を段差がなく構成する。（図３）
【００２２】
なお、上記実施例で説明した構成は、おのおの組み合わせることが可能である。この場合、筆毛７の折れ毛の防止効果は、組み合わせるほど高くなる。
【図面の簡単な説明】
【００２３】
【図１】本発明液状化粧料容器実施例３の容器本体の部分拡大断面図である。
【図２】本発明液状化粧料容器実施例４の容器本体の部分拡大断面図である。
【図３】本発明液状化粧料容器実施例５の容器本体の部分拡大断面図である。
【図４】本発明が実施される液状化粧料容器の正面断面図である。
【図５】本発明が実施される液状化粧料容器他の一例の正面断面図である。
【図６】従来の液状化粧料用塗布具の口金がワイパーの払拭部を通過する際の部分拡大断面図である。
【符号の説明】
【００２４】
１    キャップ
４    塗布棒
６    塗布部
７    筆毛
８    口金
１０    液状化粧料
１１    容器本体
１２    口部
１４    ワイパー
１５    払拭部
２０    開口縁部
Ａ    面取り角度
Ｂ    下向き角度
【図１】
2006043140.tif 000003
【図２】
2006043140.tif 000004
【図３】
2006043140.tif 000005
【図４】
2006043140.tif 000006
【図５】
2006043140.tif 000007
【図６】
2006043140.tif 000008